(57)【要約】【課題】操作者の作業効率を向上させる紙幣処理装置を提供する。【解決手段】載置された紙幣を１枚ずつ繰り出す取込部１１と、紙幣を集積する集積部１５、１６と、取込部１１と集積部１５、１６との間において紙幣を搬送する搬送部１２と、搬送部１２に設けられ、紙幣の識別計数を行う識別部１４と、占有指示が与えられる占有指示入力手段１９Ａ、１９Ｂと、記憶領域１７Ａ、１７Ｂを有する記憶部１７と、占有指示入力手段１９Ａを介した占有指示に基づき紙幣が集積部１５Ａ、１６Ａに搬送されるように搬送部１２を制御すると共に識別部１４から出力される識別計数結果を記憶領域１７Ａに格納し、占有指示入力手段１９Ｂを介した占有指示に基づき紙幣が集積部１５Ｂ、１６Ｂに搬送されるように搬送部１２を制御すると共に識別部１４から出力される識別計数結果を記憶領域１７Ｂに格納する制御部１０と、を備える。【選択図】図２
2009193144.tif 000002
【特許請求の範囲】
【請求項１】
載置された紙幣を１枚ずつ繰り出す取込部と、
紙幣を集積する第１及び第２の集積部と、
前記取込部と前記第１及び第２の集積部との間において紙幣を搬送する搬送部と、
前記搬送部に設けられ、紙幣の識別計数を行う識別部と、
占有指示が与えられる第１及び第２の占有指示入力手段と、
第１及び第２の記憶領域を有する記憶部と、
前記第１の占有指示入力手段を介した占有指示に基づき紙幣が前記第１の集積部に搬送されるように前記搬送部を制御し、前記識別部から出力される識別計数結果を前記第１の記憶領域に格納し、前記第２の占有指示入力手段を介した占有指示に基づき紙幣が前記第２の集積部に搬送されるように前記搬送部を制御し、前記識別部から出力される識別計数結果を前記第２の記憶領域に格納する制御部と、
を備える紙幣処理装置。
【請求項２】
前記第２の集積部に紙幣が集積されている状態で前記第１の占有指示入力手段を介した占有指示の入力が可能であり、前記第１の集積部に紙幣が集積されている状態で前記第２の占有指示入力手段を介した占有指示の入力が可能であることを特徴とする請求項１に記載の紙幣処理装置。
【請求項３】
前記第１及び第２の集積部はそれぞれ前記識別部により識別計数された紙幣を集積するスタッカとリジェクト紙幣を集積するリジェクト部とを有することを特徴とする請求項１又は請求項２に記載の紙幣処理装置。
【請求項４】
前記制御部は、前記第１の占有指示入力手段を介した占有指示に基づき第１国の紙幣の識別計数を行うよう前記識別部を制御し、前記第１の占有指示入力手段を介した占有指示に基づき前記第１国とは異なる第２国の紙幣の識別計数を行うよう前記識別部を制御することを特徴とする請求項１乃至３に記載の紙幣処理装置。
【請求項５】
前記第１及び第２の集積部にそれぞれ対応する第１及び第２の照明部をさらに備え、
前記制御部は前記第１の占有指示入力手段を介した占有指示に基づき前記第１の照明部の点灯及び前記第２の照明部の消灯を行い、前記第２の占有指示入力手段を介した占有指示に基づき前記第１の照明部の消灯及び前記第２の照明部の点灯を行うことを特徴とする請求項１乃至４のいずれかに記載の紙幣処理装置。
【請求項６】
前記第１の照明部と前記第２の照明部は互いに異なる色光を出射することを特徴とする請求項５に記載の紙幣処理装置。
【請求項７】
前記第１及び第２の集積部のうち紙幣が搬送される集積部の位置情報と、前記識別部から出力される識別結果と、を表示する表示部をさらに備えることを特徴とする請求項１乃至６のいずれかに記載の紙幣処理装置。
【請求項８】
前記第１の集積部と第２の集積部は機体の水平方向に並んで配設されることを特徴とする請求項１乃至７のいずれかに記載の紙幣処理装置。
【発明の詳細な説明】
【技術分野】
【０００１】
本発明は、紙幣処理装置に関するものである。
【背景技術】
【０００２】
銀行等の金融機関では２人の操作者により左右から共用される紙幣処理機が利用されている（例えば特許文献１参照）。この紙幣処理機には処理機能を占有する占有指示ボタンが使用者毎に具備されており、一方の操作者が自分に割り当てられている占有指示ボタンを押すことで、紙幣処理機の処理機能を占有する。
【０００３】
処理機能を占有した操作者（以下、占有操作者）によりホッパに載置された紙幣が、取り込まれて計数・識別され、複数のスタッカに仕分けされて集積される。占有操作者がスタッカに集積された紙幣をすべて取り出し、終了ボタンを押すことで処理機能の占有が解除される。
【０００４】
他方の操作者は、紙幣処理機の占有が解除されて初めて占有指示ボタンを押し、処理を開始することができる。すなわち、占有操作者がホッパに載置した紙幣の取り込み、計数・識別、スタッカへの仕分け、集積が終了した後も、スタッカから紙幣が取り出され、終了ボタンが押されるまでは、他方の操作者は処理を開始できなかった。
【０００５】
このように、従来の共用型の紙幣処理機では、一方の操作者の処理が紙幣の取り出しを含め全て完了するまで他方の操作者は処理が開始できず、作業効率の向上の妨げになるという問題を有していた。
【０００６】
【特許文献１】実開平５−２５５６３号公報
【発明の開示】
【発明が解決しようとする課題】
【０００７】
本発明は操作者の作業効率を向上させる紙幣処理装置を提供することを目的とする。特に、２人の操作者が１台の装置を共用する場合や、１台の装置で種類の異なる紙幣を処理する場合の作業効率を向上させる紙幣処理装置を提供することを目的とする。
【課題を解決するための手段】
【０００８】
本発明の一態様による紙幣処理装置は、載置された紙幣を１枚ずつ繰り出す取込部と、紙幣を集積する第１及び第２の集積部と、前記取込部と前記第１及び第２の集積部との間において紙幣を搬送する搬送部と、前記搬送部に設けられ、紙幣の識別計数を行う識別部と、占有指示が与えられる第１及び第２の占有指示入力手段と、第１及び第２の記憶領域を有する記憶部と、前記第１の占有指示入力手段を介した占有指示に基づき紙幣が前記第１の集積部に搬送されるように前記搬送部を制御し、前記識別部から出力される識別計数結果を前記第１の記憶領域に格納し、前記第２の占有指示入力手段を介した占有指示に基づき紙幣が前記第２の集積部に搬送されるように前記搬送部を制御し、前記識別部から出力される識別計数結果を前記第２の記憶領域に格納する制御部と、を備えるものである。
【０００９】
本発明の一態様による紙幣処理装置において、前記第２の集積部に紙幣が集積されている状態で前記第１の占有指示入力手段を介した占有指示の入力が可能であり、前記第１の集積部に紙幣が集積されている状態で前記第２の占有指示入力手段を介した占有指示の入力が可能であることが好ましい。
【００１０】
本発明の一態様による紙幣処理装置において、前記第１及び第２の集積部はそれぞれ前記識別部により識別計数された紙幣を集積するスタッカとリジェクト紙幣を集積するリジェクト部とを有することが好ましい。
【００１１】
本発明の一態様による紙幣処理装置において、前記制御部は、前記第１の占有指示入力手段を介した占有指示に基づき第１国の紙幣の識別計数を行うよう前記識別部を制御し、前記第１の占有指示入力手段を介した占有指示に基づき前記第１国とは異なる第２国の紙幣の識別計数を行うよう前記識別部を制御することが好ましい。
【００１２】
本発明の一態様による紙幣処理装置において、前記第１及び第２の集積部にそれぞれ対応する第１及び第２の照明部をさらに備え、前記制御部は前記第１の占有指示入力手段を介した占有指示に基づき前記第１の照明部の点灯及び前記第２の照明部の消灯を行い、前記第２の占有指示入力手段を介した占有指示に基づき前記第１の照明部の消灯及び前記第２の照明部の点灯を行うことが好ましい。
【００１３】
本発明の一態様による紙幣処理装置において、前記第１の照明部と前記第２の照明部は互いに異なる色光を出射することが好ましい。
【００１４】
本発明の一態様による紙幣処理装置において、前記第１及び第２の集積部のうち紙幣が搬送される集積部の位置情報と、前記識別部から出力される識別計数結果と、を表示する表示部をさらに備えることが好ましい。
【００１５】
本発明の一態様による紙幣処理装置において、前記第１の集積部と第２の集積部は機体の水平方向に並んで配設されることが好ましい。
【発明の効果】
【００１６】
本発明によれば、操作者の作業効率を向上できる。特に、２人の操作者が１台の装置を共用する場合や、１台の装置で種類の異なる紙幣を処理する場合の作業効率を向上させることができる。
【発明を実施するための最良の形態】
【００１７】
以下、本発明の実施の形態による紙幣処理装置を図面に基づいて説明する。
【００１８】
図１に本発明の実施形態に係る紙幣処理装置の正面外観構成例を示す。筐体状本体上部には処理すべき金種混合又は単一金種の紙幣を載置する取込部（ホッパ）１１が設けられており、前面パネルにはデータの表示や処理等の指示入力が行われる操作・表示部１８が設けられている。
【００１９】
操作・表示部１８の下方には取込部１１から繰り出され、識別部（図２の識別部１４）で金種判別、計数等が行われた紙幣を集積する２つのスタッカ１６Ａ、１６Ｂ、識別の際に識別不能や偽札とされたものをリジェクトして集積するための２つのリジェクト部１５Ａ、１５Ｂが設けられている。
【００２０】
操作・表示部１８には２つの占有指示入力手段１９Ａ、１９Ｂが設けられており、占有指示入力手段１９Ａ、１９Ｂを介して占有指示入力を行うことで、紙幣処理装置の占有状態を切り替えることができる。この紙幣処理装置では、占有状態の切り替えに伴い、取込部１１に載置され、識別計数された紙幣の搬送先（リジェクト部、スタッカ）が切り替えられる。
【００２１】
例えば、占有指示入力手段１９Ａを介して占有指示入力を行ってから、取込部１１に載置され識別計数された紙幣の搬送先は、リジェクト部１５Ａ及びスタッカ１６Ａに設定される。また、占有指示入力手段１９Ｂを介して占有指示入力を行ってから、取込部１１に載置され識別計数された紙幣の搬送先は、リジェクト部１５Ｂ及びスタッカ１６Ｂに設定される。
【００２２】
図１では、占有指示入力手段１９Ａ、１９Ｂがそれぞれ操作・表示部１８の左端、右端に設けられている。これは、この紙幣処理装置を２人の操作者がそれぞれ左右から使用する際に特に効果的な配置場所であり、これに限定されるものではない。占有指示入力手段１９Ａ、１９Ｂは例えば押下げ可能なボタンや押圧可能なキーである。
【００２３】
また、操作・表示部１８には図示しない識別計数処理の開始を指示するＳＴＡＲＴ（スタート）キー、識別計数結果を消去するＣＬＥＡＲ（クリア）キー等が設けられている。ＣＬＥＡＲキーは占有指示入力手段に対応させて２つ設けるようにしても良い。
【００２４】
図２にこの紙幣処理装置の側断面の概略構成を示す。紙幣処理装置は、取込部１１、搬送部１２、搬送状態検出部１３、識別部１４、２つのリジェクト部１５Ａ、１５Ｂ、２つのスタッカ１６Ａ、１６Ｂ、記憶部１７、及び制御部１０を備える。
【００２５】
取込部１１は、操作者によって載置された紙幣を１枚ずつ紙幣処理装置の筐体の内部に取り込むようになっている。
【００２６】
搬送部１２は、紙幣処理装置の筐体の内部に設けられており、取込部１１によって取り込まれた紙幣をスタッカ１６Ａ、１６Ｂまたはリジェクト部１５Ａ、１５Ｂまで搬送するようになっている。搬送部１２は制御部１０に従って紙幣の搬送を行う。
【００２７】
この搬送部１２は例えば、ベルト搬送機構が組み合わされたものからなる。ベルト搬送機構は、一対または３以上のローラおよび各ローラに張架された例えばゴムベルトから構成されている。
【００２８】
搬送状態検出部１３は、搬送部１２に介設されており、取込部１１によって取り込まれた紙幣を検出するセンサからなる。この搬送状態検出部１３は、紙幣の搬送異常を検出したときに、搬送異常信号を制御部１０に送信するようになっている。
【００２９】
具体的には、搬送状態検出部１３は、取込部１１によって取り込まれた紙幣が斜めに取り込まれた状態（斜行状態）、又は複数の紙幣が所定の間隔を隔てないで取り込まれた状態（連鎖状態）の場合に、搬送異常信号を制御部１０に送信するようになっている。
【００３０】
識別部１４は、搬送状態検出部１３の下流側において搬送部１２に介設されている。識別部１４は、搬送部１２によって搬送される紙幣の金種、真偽、正損等の判別や計数等を行うと共に、複数の紙幣が重なって取り込まれた状態（重送状態）の搬送異常を検出するようになっている。
【００３１】
識別部１４は、例えば搬送部１２を挟むような一対のラインセンサからなる。識別部１４は紙幣の判別結果や計数結果を含む識別計数結果を示す識別計数信号を制御部１０に送信する。
【００３２】
制御部１０は取込部１１、搬送部１２、搬送状態検出部１３、識別部１４、記憶部１７、及び操作・表示部（図１に示す操作・表示部１８）に接続されている。制御部１０には、搬送状態検出部１３及び識別部１４から紙幣の搬送異常に係る搬送異常信号が送られ、また、識別部１４から紙幣の識別計数結果に係る識別計数信号が送られるようになっており、これらの情報の全てまたは一部を記憶部１７に格納すると共に操作・表示部１８に表示させるようになっている。
【００３３】
記憶部１７は記憶領域１７Ａ及び１７Ｂを有する。制御部１０は装置の占有状態（占有モード）に応じて識別計数結果を記憶領域１７Ａ又は１７Ｂのいずれか一方に格納する。
【００３４】
例えば、占有指示入力手段１９Ａを介して占有指示が入力されている場合は識別計数結果を記憶領域１７Ａに格納する。また、占有指示入力手段１９Ｂを介して占有指示が入力されている場合は識別計数結果を記憶領域１７Ｂに格納する。
【００３５】
操作・表示部１８のＣＬＥＡＲキーが押圧され、消去指示が入力された場合、制御部１０は記憶領域１７Ａ又は１７Ｂに格納されている識別計数結果及び操作・表示部１８に表示されている識別計数結果を消去する。
【００３６】
占有モード毎に識別計数結果を格納する記憶領域を別にすることで、一方の占有モードによる識別計数結果を表示しつつ、他方の占有モードによる識別計数処理及び識別計数結果の表示を行うことができる。
【００３７】
制御部１０は占有指示入力手段１９Ａ、１９Ｂを介して入力される占有指示に基づいて搬送部１２の制御を行う。例えば、占有指示入力手段１９Ａを介して占有指示が入力された場合は、紙幣の搬送先がリジェクト部１５Ａ及びスタッカ１６Ａとなるように搬送部１２を制御する。また、占有指示入力手段１９Ｂを介して占有指示が入力された場合は、紙幣の搬送先がリジェクト部１５Ｂ及びスタッカ１６Ｂとなるように搬送部１２を制御する。
【００３８】
このような紙幣処理装置を用いた紙幣処理について図３及び図４に示すフローチャートを用いて説明する。ここでは一例としてユーザＡとユーザＢの２人の操作者によって共用する場合（デュアル設定時）の処理を説明する。
【００３９】
（ステップＳ１０１）装置の電源がオンされ、占有指示入力の待ち受け状態になる。
【００４０】
（ステップＳ１０２）占有指示が入力される。占有指示入力手段１９Ａを介した入力の場合はステップＳ１０３へ進み、占有指示入力手段１９Ｂを介した入力の場合はステップＳ２０３へ進む。
【００４１】
（ステップＳ１０３）ユーザＡに対応した占有モード設定が行われる。具体的には制御部１０が紙幣の搬送先をリジェクト部１５Ａ及びスタッカ１６Ａに設定する。また、識別計数結果の保存先が記憶領域１７Ａに設定される。
【００４２】
（ステップＳ１０４）記憶領域１７Ａにおける保存データの有無が検出される。保存データがある場合はステップＳ１１０へ進み、無い場合はステップＳ１０５へ進む。
【００４３】
（ステップＳ１０５）リジェクト部１５Ａ及びスタッカ１６Ａにおける紙幣の有無が検出される。紙幣がある場合はステップＳ１１５へ進み、無い場合はステップＳ１０６へ進む。
【００４４】
（ステップＳ１０６）取込部１１に紙幣が載置されているか否かが検出される。紙幣が載置されている場合はステップＳ１０７へ進み、載置されていない場合はステップＳ１０２へ戻る。
【００４５】
（ステップＳ１０７）ＳＴＡＲＴキーが押圧され、取込部１１に載置された紙幣の識別（金種の判別や計数等）、リジェクト部１５Ａ及び／又はスタッカ１６Ａへの集積が行われる。
【００４６】
（ステップＳ１０８）識別計数結果が記憶領域１７Ａに保存され、かつ操作・表示部１８に表示される。記憶領域１７Ａへの識別計数結果の保存に伴い、占有指示入力手段１９Ｂを介した占有指示の入力が可能になる。
【００４７】
（ステップＳ１０９）占有操作者の切り替え、すなわちユーザＢによる占有指示入力手段１９Ｂを介した占有指示の入力が行われた場合、ユーザＢはステップＳ２０３へ進む。ユーザＡはユーザＢによる占有指示の入力の有無に関わらずステップＳ１１０へ進む。ユーザＡによるステップＳ１１０以降の処理と、ユーザＢによるステップＳ２０３以降の処理は並行して実行できる。
【００４８】
（ステップＳ１１０）識別計数結果を承認する場合はステップＳ１１３へ進み、承認しない場合はステップＳ１１１へ進む。
【００４９】
（ステップＳ１１１）ＣＬＥＡＲキーが押圧され、識別計数結果の消去指示の入力が行われたか否かが検出される。消去指示が入力された場合はステップＳ１１４へ進み、入力されていない場合はステップＳ１１２へ進む。
【００５０】
（ステップＳ１１２）取込部１１に紙幣が載置されているか検出される。載置されている場合はステップＳ１０７へ戻り、載置されていない場合はステップＳ１０９へ戻る。
【００５１】
（ステップＳ１１３）操作・表示部１８に表示された識別計数結果の記録等が行われ、その後、ＣＬＥＡＲキーの押圧により識別計数結果が記憶領域１７Ａから消去される。
【００５２】
（ステップＳ１１４）識別計数結果が記憶領域１７Ａ及び操作・表示部１８から消去される。
【００５３】
（ステップＳ１１５）スタッカ１６Ａ及びリジェクト部１５Ａから紙幣が全て抜き取られたか否か検出される。全て抜き取られた場合はステップＳ１１６へ進む。
【００５４】
（ステップＳ１１６）ユーザＡにより識別計数処理が行われる紙幣がある場合はステップＳ１０６へ進み、無い場合はステップＳ１０２へ戻る。
【００５５】
（ステップＳ２０３）ユーザＢに対応した占有モード設定が行われる。具体的には制御部１０が紙幣の搬送先をリジェクト部１５Ｂ及びスタッカ１６Ｂに設定する。また、識別計数結果の保存先が記憶領域１７Ｂに設定される。
【００５６】
（ステップＳ２０４）記憶領域１７Ｂにおける保存データの有無が検出される。保存データがある場合はステップＳ２１０へ進み、無い場合はステップＳ２０５へ進む。
【００５７】
（ステップＳ２０５）リジェクト部１５Ｂ及びスタッカ１６Ｂにおける紙幣の有無が検出される。紙幣がある場合はステップＳ２１５へ進み、無い場合はステップＳ２０６へ進む。
【００５８】
（ステップＳ２０６）取込部１１に紙幣が載置されているか否かが検出される。紙幣が載置されている場合はステップＳ２０７へ進み、載置されていない場合はステップＳ１０２へ戻る。
【００５９】
（ステップＳ２０７）ＳＴＡＲＴキーが押圧され、取込部１１に載置された紙幣の識別（金種の判別や計数等）、リジェクト部１５Ｂ及び／又はスタッカ１６Ｂへの集積が行われる。
【００６０】
（ステップＳ２０８）識別計数結果が記憶領域１７Ｂに格納され、かつ操作・表示部１８に表示される。記憶領域１７Ｂへの識別計数結果の格納に伴い、占有指示入力手段１９Ａを介した占有指示の入力が可能になる。
【００６１】
（ステップＳ２０９）占有操作者の切り替え、すなわちユーザＡによる占有指示入力手段１９Ａを介した占有指示の入力が行われた場合、ユーザＡはステップＳ１０３へ進む。ユーザＢはユーザＡによる占有指示の入力の有無に関わらずステップＳ２１０へ進む。ユーザＢによるステップＳ２１０以降の処理と、ユーザＡによるステップＳ１０３以降の処理は並行して実行できる。
【００６２】
（ステップＳ２１０）識別計数結果を承認する場合はステップＳ２１３へ進み、承認しない場合はステップＳ２１１へ進む。
【００６３】
（ステップＳ２１１）ＣＬＥＡＲキーが押圧され、識別計数結果の消去指示の入力が行われたか否かが検出される。消去指示が入力された場合はステップＳ２１４へ進み、入力されていない場合はステップＳ２１２へ進む。
【００６４】
（ステップＳ２１２）取込部１１に紙幣が載置されているか検出される。載置されている場合はステップＳ２０７へ戻り、載置されていない場合はステップＳ２０９へ戻る。
【００６５】
（ステップＳ２１３）操作・表示部１８に表示された識別計数結果の記録等が行われ、その後、ＣＬＥＡＲキーの押圧により識別計数結果が記憶領域１７Ｂから消去される。
【００６６】
（ステップＳ２１４）識別計数結果が記憶領域１７Ｂ及び操作・表示部１８から消去される。
【００６７】
（ステップＳ２１５）スタッカ１６Ｂ及びリジェクト部１５Ｂから紙幣が全て抜き取られたか否か検出される。全て抜き取られた場合はステップＳ２１６へ進む。
【００６８】
（ステップＳ２１６）ユーザＢにより識別計数処理が行われる紙幣がある場合はステップＳ２０６へ進み、無い場合はステップＳ１０２へ戻る。
【００６９】
本実施形態による紙幣処理装置は、操作者毎に紙幣の集積部（スタッカ及びリジェクト部）及び識別計数結果の記憶領域を切り替えて設定するため、例えばユーザＡにより処理された紙幣がリジェクト部１５Ａ及び／又はスタッカ１６Ａから取り出されずに残っていても、ユーザＢは占有モードを切り替え、紙幣の集積先をリジェクト部１５Ｂ及びスタッカ１６Ｂにして紙幣の識別計数処理を開始できる。
【００７０】
このように、一方の操作者が紙幣の取り出しを行わず処理が完了していなくても、取込部１１及び搬送部１２に紙幣が無くなれば、他方の操作者は占有モードを切り替えて処理を開始できるため、作業効率を向上させることができる。
【００７１】
図５に示すように、取込部１１に載置された紙幣の集積先となるリジェクト部及びスタッカが分かるような照明部２０Ａ、２０Ｂ〜２３Ａ、２３Ｂを設けるようにしても良い。例えば占有指示入力手段１９Ａを介して占有指示が入力され、紙幣の集積先がリジェクト部１５Ａ及びスタッカ１６Ａに設定されている場合、照明部２０Ａ及び２２Ａが点灯する。
【００７２】
一方、占有指示入力手段１９Ｂを介して占有指示が入力され、紙幣の集積先がリジェクト部１５Ｂ及びスタッカ１６Ｂに設定されている場合、照明部２１Ｂ及び２３Ｂが点灯する。
【００７３】
照明部２０〜２３の点灯制御は制御部１０により行われる。操作者は照明部２０〜２３の点灯状態を見て、占有モードの切り替えが正常に行われたかを確認することができる。照明部には例えばＬＥＤ（発光ダイオード）を用いることができる。照明部２０Ａ〜２３Ａと照明部２０Ｂ〜２３Ｂとで色を変えるようにしても良い。また、図５では照明部はスタッカ及びリジェクト部の左右にそれぞれ設けられていたが、一方にのみ設けるようにしてもよい。
【００７４】
また、操作・表示部１８に紙幣の集積先となるスタッカ及びリジェクト部を画像表示するようにしても良い。例えば、図６に示すように、紙幣の集積先がリジェクト部１５Ｂ及びスタッカ１６Ｂに設定されている場合、リジェクト部１５Ｂ及びスタッカ１６Ｂを実線、リジェクト部１５Ａ及びスタッカ１６Ａを破線で画像表示する。画像表示は例えばＬＣＤ（液晶ディスプレイ）を用いることで実施し得る。
【００７５】
また、占有指示入力手段１９Ａ、１９Ｂを介した占有指示の際の識別計数結果をそれぞれ表示領域１８Ａ、１８Ｂに表示するようにしても良い。
【００７６】
上記実施形態では、図１に示すように、２つのリジェクト部１５Ａ、１５Ｂ及び２つのスタッカ１６Ａ、１６Ｂが縦方向に並んで設けられていたが、図７に示すように、リジェクト部及びスタッカをそれぞれ左右に設けるようにしても良い。左右に位置する２人の操作者により共用する際に特に効果的な配置である。
【００７７】
上記実施形態による紙幣処理装置は２つのスタッカ１６Ａ、１６Ｂを備えていたが、スタッカ数は３以上にすることが出来る。４つのスタッカを備えた紙幣処理装置の断面概略構成例を図８に示す。
【００７８】
この紙幣処理装置は、４つのスタッカ１６Ａ、１６Ｂ、１６Ｃ、１６Ｄを備える。例えば、占有指示入力手段１９Ａを介して占有指示が入力された場合、制御部１０は紙幣の集積先をリジェクト部１５Ａ及びスタッカ１６Ａ、１６Ｂに設定する。識別部１４による識別計数結果が正常な紙幣は金種別にスタッカ１６Ａ、１６Ｂに送られる。
【００７９】
ここで、スタッカ１６Ａ、１６Ｂは、紙幣が金種別に送られるものに限定されることはなく、例えば紙幣が表裏別に分類されて送られるもの、あるいは紙幣が方向別に分類されて送られるもの等、他の分類方法により分類されて送られるようになっていてもよい。
【００８０】
一方、占有指示入力手段１９Ｂを介して占有指示が入力された場合、制御部１０は紙幣の集積先をリジェクト部１５Ｂ、スタッカ１６Ｃ及び１６Ｄに設定する。識別部１４による識別計数結果が正常な紙幣は金種別又は他の分類方法により分類されてスタッカ１６Ｃ、１６Ｄに送られる。
【００８１】
操作・表示部１８を介してスタッカの割り当てを行うことができるようにしてもよい。例えば、占有指示入力手段１９Ａを介した占有指示の場合は紙幣の集積先をリジェクト部１５Ａ、スタッカ１６Ａ、１６Ｂ、１６Ｃとし、占有指示入力手段１９Ｂを介した占有指示の場合は紙幣の集積先をリジェクト部１５Ｂ及びスタッカ１６Ｄとすることができる。
【００８２】
図９に示すように、リジェクト部１５Ａ、１５Ｂと、スタッカ１６Ａ、１６Ｂ、１６Ｃ、１６Ｄの各々に照明部２４Ａ、２４Ｂ、２５Ａ、２５Ｂ、２５Ｃ、２５Ｄを設け、占有モード毎に異なる色で点灯するように制御することで、各占有モードでどのリジェクト部及びスタッカが紙幣の集積先となっているかを容易に判断することができる。
【００８３】
また、操作・表示部１８に紙幣の集積先となるスタッカ及びリジェクト部を画像表示するようにしても良い。例えば、図１０に示すように、紙幣の集積先がリジェクト部１５Ａ、スタッカ１６Ａ、１６Ｂ、１６Ｃに設定されている場合、リジェクト部１５Ａ、スタッカ１６Ａ、１６Ｂ、１６Ｃを実線で表示し、リジェクト部１５Ｂ及びスタッカ１６Ｄを破線で画像表示する。
【００８４】
上述した紙幣処理装置は操作者毎に占有モードを切り替えて、紙幣の集積先及び識別計数結果の格納先を切り替えていたが、例えば一方の占有モードの時はドル紙幣の処理を行い、他方の占有モードの時はユーロ紙幣を処理するようにしても良い。これは制御部１０が占有指示入力手段１９Ａ、１９Ｂを介した占有指示の入力の際に、紙幣の集積先（リジェクト部及びスタッカ）を切り替えるだけでなく、識別部１４の制御を行い、対応する通貨の識別計数を行えるようにする。
【００８５】
このように各占有モードに対して異なる通貨を割り当てることで、１人又は複数の操作者による異なる通貨の識別計数処理を効率良く行うことができる。
【００８６】
また、１人の操作者が、第１の取引による紙幣処理を一方の占有モードで行い、第２の取引による紙幣処理を他方の占有モードで行っても良い。第１の取引による紙幣がスタッカ及び／又はリジェクト部に残っている状態でも、第２の取引による紙幣の識別計数処理を開始できるため、作業効率を向上できる。
【００８７】
また、１人の操作者がすべてのスタッカを使用した通常の紙幣処理を行えるように設定できるようにしてもよい。
【００８８】
上述した実施の形態は一例であって限定的なものではないと考えられるべきである。本発明の技術的範囲は特許請求の範囲によって示され、特許請求の範囲と均等の意味および範囲内でのすべての変更が含まれることが意図される。
【図面の簡単な説明】
【００８９】
【図１】本発明の実施形態による紙幣処理装置の正面外観構成図である。
【図２】同実施形態による紙幣処理装置の側断面概略構成図である。
【図３】同実施形態による紙幣処理のフローチャートである。
【図４】同実施形態による紙幣処理のフローチャートである。
【図５】変形例による紙幣処理装置の正面外観構成図である。
【図６】操作・表示部における表示例を示す図である。
【図７】変形例による紙幣処理装置の正面外観構成図である。
【図８】変形例による紙幣処理装置の断面概略構成図である。
【図９】変形例による紙幣処理装置の正面外観構成図である。
【図１０】変形例による操作・表示部における表示例を示す図である。
【符号の説明】
【００９０】
１０  制御部
１１  取込部
１２  搬送部
１３  搬送状態検出部
１４  識別部
１５  リジェクト部
１６Ａ〜１６Ｄ  スタッカ
１７  記憶部
１８  操作・表示部
１９  占有指示入力手段
２０〜２５  照明部
【図１】
2009193144.tif 000003
【図２】
2009193144.tif 000004
【図３】
2009193144.tif 000005
【図４】
2009193144.tif 000006
【図５】
2009193144.tif 000007
【図６】
2009193144.tif 000008
【図７】
2009193144.tif 000009
【図８】
2009193144.tif 000010
【図９】
2009193144.tif 000011
【図１０】
2009193144.tif 000012